(57)【要約】【課題】記録型光ディスクを装着したドライブが行う最適記録を学習する記録学習時間が長い。【解決手段】光ディスク１を装着すると、当該光ディスク１に光ピックアップ４が記録する最適ストラテジを得るため、システムコントローラ９が記録学習の指令を出す。この記録学習に際し、光ディスク１の学習領域に記録再生を開始するアドレスはシステムコントローラ９から取得し、メモリ１０が格納する前回の記録学習における光ピックアップ４のアドレスを、メモリ１０から取得することで、光ピックアップが位置するアドレスをサーチすることを抑制する。【選択図】図１
2007102839.tif 000002
【特許請求の範囲】
【請求項１】
番地情報を有する情報層を備える情報媒体を回転する回転手段と、
前記回転手段の回転数を制御する回転制御手段と、
前記情報層に光ビームを照射し情報信号の授受を行う光ピックアップ手段と、
前記光ピックアップが放射する前記光ビームを制御するピックアップ制御手段と、
前記光ピックアップ手段を前記情報媒体のラジアル方向に移動する移動手段と、
前記移動手段の移動量を制御する移動制御手段と、
前記光ピックアップ手段が検出する検出信号と前記情報信号とを相互変換する記録再生手段と、
前記回転制御手段、前記ピックアップ制御手段及び前記移動制御手段を統合的に制御するシステム制御手段と、
前記システム制御手段の制御の下で、前記光ピックアップ手段が前記情報層を照射した当該情報層の番地情報を格納する記憶手段とを備えることを特徴とする情報記録再生装置。
【発明の詳細な説明】
【技術分野】
【０００１】
本発明は、光ディスク等の情報記録媒体およびこれを用いて記録／再生を行う情報記録再生装置に関し、特に記録パワー校正領域を有する情報記録媒体とそれを用いる情報記録再生装置に関する。
【背景技術】
【０００２】
光学的に情報信号を情報層に記録、または情報層に記録されているユーザデータを光学的に再生できる記録再生媒体である光ディスクは、ＣＤと称されるコンパクトディスクやＤＶＤと称されるディジタルバーサタイルディスク等が広く普及しいる。これらの光ディスクの記録及び／または再生（以下、録再と称す）を行う光ディスク装置は、光ディスクが備える情報層に光ビームのスポットを形成する光ピックアップと、光ピックアップが現在光ビームを照射している位置を記憶するレジスタと、光ディスクを回転するモータと、このモータと光ピックアップを制御するシステムコントローラと、光ピックアップを光ディスクのラジアル方向に移動させるトラバースを制御するトラバース制御回路とを備えている。トラバース制御回路は、光ピックアップから出力される光ビームの照射位置を現在の照射位置からある特定の位置へ変更するシーク動作や、このシーク動作に含まれる光ビームを照射する位置を変更するジャンプ動作も制御している。
【０００３】
このような光ディスク装置において、所望の情報層に対し録再速度を向上させる目的として、特許文献１にはディスクに記録する情報信号を一時的に記憶するバッファメモリを備える構成が開示されている。バッファメモリに情報を蓄えることで、バッファメモリに情報信号を格納できる空き容量が存在する間は、情報層に対し録再する情報信号を一時的にバッファメモリに格納することで録再の中断を防ぐことができ、使用者としては録再速度を向上することができる。なお、バッファメモリに空き容量が無い場合は、光ディスクに対する録再動作を中断することになるが、録再の再開に備え、システムコントローラを介さず自動的に現在のアドレスを維持するため、固定移動量のジャンプ動作を実行する自動ジャンプバック動作を備える構成により、アクセススピードの低下防止を実現できる。
【特許文献１】特開平５−００２８１７号公報
【発明の開示】
【発明が解決しようとする課題】
【０００４】
しかしながら、バッファメモリを備える構成で自動ジャンプバック動作が可能となり、自動ジャンプバック動作により前述したようにアクセススピードの低下は防止できるが、このアクセススピード低下を防止する効果を奏する作用は必ずしも万能ではない。すなわち、自動ジャンプバック動作はシステムコントローラからの命令なしにトラバース制御回路による制御でジャンプ動作を実行するため、自動ジャンプバック動作処理後のアクセス要求までの時間とアクセスするアドレスを考慮した可変移動量との間には相関を有するジャンプ動作を行うジャンプバック動作は行えないという課題がある。
【０００５】
ところで、光ディスクに情報を記録する際に、情報層に照射する光ビームの出力及び波形条件（いわゆるストラテジと称される）の調整を行う記録学習は、複数のアドレスに定められた順番で情報層の記録学習領域に光ビームを複数回照射することで記録し、この情報層の記録学習領域に記録した記録マークの品質を確認するため当該記録マークを再生し、最適なストラテジを確立するまで記録と再生とを繰り返し行う。
【０００６】
このような複数のアドレスに対し定められた順番で一定のアドレス番地に対して複数回録再を繰り返すことを要求される記録学習に、上述のジャンプバック動作を適用すると、図３に示したようなアルゴリズムを適用することとなる。
【０００７】
光ディスク装置に記録型の光ディスクを装着すると、システムコントローラが当該光ディスクに対する記録学習を指示する。システムコントローラが記憶している情報に基づき、ステップ３０１で記録学習の記録再生長及び記録再生開始アドレスを決定する。ステップ３０１での決定を受けて、ステップ３０２で光ディスクの情報層に対する光ピックアップが現在位置しているアドレスを読み、光ピックアップの検出信号と情報信号との相互変換を担う記録再生回路の初期化等の記録再生準備処理を行う（ステップ３０３）。
【０００８】
ステップ３０１でコントローラから取得した記録再生開始アドレスと、ステップ３０２で取得した光ピックアップが位置している現在アドレスとの同一性を比較する（ステップ３０４）。従来構成では前述したように、自動ジャンプバックはシステムコントローラによる制御と独立しているため、ステップ３０４での比較が最初から同一となることは先ずあり得なく、ステップ３０４での比較により得られたアドレスの差に見合ったジャンプ距離と決定する（ステップ３０５）。ステップ３０５で決定したアドレス数をトラックに換算し、ステップ３０６でトラックジャンプを実行する。ステップ３０６で実行したトラックジャンプ後、ステップ３０７でトラックジャンプ後の光ピックアップが位置する現在アドレスを読み出す。ステップ３０７で読み出した現在アドレスとステップ３０１で取得した記録再生開始アドレスとの同一性をステップ３０４で比較し、トラックジャンプ後の光ピックアップの現在アドレスとステップ３０１で取得した記録再生開始アドレスとが同一になるまで、ステップ３０５、３０６及び３０７のループを繰り返す。
【０００９】
トラックジャンプ後のアドレスと記録再生開始アドレスとが同一とステップ３０４で検出すると、ステップ３０８で記録学習として予め設定されているレーザ照射条件に応じたストラテジで記録学習を実施する。ステップ３０９で記録学習の完了を判断し、完了していなければ次のストラテジをシステムコントローラから取得するステップ３０１から繰り返し、ステップ３０９で記録学習が完了したと判断しすると記録学習ジョブを終了する。
【００１０】
このように、記録再生開始アドレスと現在のアドレスとの相関性を持たない従来の自動ジャンプバックでは、ステップ３０５、３０６及び３０７のループをステップ３０４で同一と判断するまで繰り返すことが必須となり、しかもストラテジを変えてステップ３０１から再開する際にも、同様にステップ３０５〜３０７のループを繰り返すこととなる。記録型光ディスクは光ディスク装置に装着される度に記録学習を実行するため、ステップ３０５〜３０７の１ループは大凡１０ｍｓｅｃ程度ではあるが、当該ループを抜け出るまでには大凡１００ｍｓｅｃを要し、ステップ３０１からステップ３０９のループを抜け出る記録学習ジョブ終了までに要する時間は１０ｓｅｃ〜１２ｓｅｃを要する。この記録学習に要する時間は、ユーザが光ディスク装置を立ち上げてから実記録までのいわゆる立ち上げ時間に直接影響するため、従来のジャンプバック動作では立ち上げ時間を短縮することができず、ユーザにとっては苦痛な時間を強いることとなる。
【００１１】
本発明は、係る従来の課題に鑑み、光ディスク装置の立ち上げ時間を短縮することができる情報記録再生装置を提供することを目的とする。
【課題を解決するための手段】
【００１２】
上記課題を解決するため、本発明の情報記録再生装置の構成は、番地情報を有する情報層を備える情報媒体を回転する回転手段と、前記回転手段の回転数を制御する回転制御手段と、前記情報層に光ビームを照射し情報信号の授受を行う光ピックアップ手段と、前記光ピックアップが放射する前記光ビームを制御するピックアップ制御手段と、前記光ピックアップ手段を前記情報媒体のラジアル方向に移動する移動手段と、前記移動手段の移動量を制御する移動制御手段と、前記光ピックアップ手段が検出する検出信号と前記情報信号とを相互変換する記録再生手段と、前記回転制御手段、前記ピックアップ制御手段及び前記移動制御手段を統合的に制御するシステム制御手段と、前記システム制御手段の制御の下で、前記光ピックアップ手段が前記情報層を照射した当該情報層の番地情報を格納する記憶手段とを備える。
【発明の効果】
【００１３】
本発明の情報記録再生装置によれば、記録学習に要する時間を大幅に短縮することができるため、情報記録再生装置の立ち上げ時間を短縮することができる。
【発明を実施するための最良の形態】
【００１４】
以下、本発明の情報記録再生装置の好ましい実施形態について、図面を参照して説明する。図１は、本発明の情報記録再生装置（以下、ドライブと称す）の一実施形態における要部構成を示し、１は情報媒体（以下、光ディスクと称す）、２は光ディスク１を回転するスピンドルモータ、３はスピンドルモータの回転を制御するモータ制御回路、４は光ディスク１が備える不図示の情報層とユーザ情報信号との授受を担う光ピックアップ、５は光ピックアップ４が検出した検出信号とユーザ情報信号とを相互変換することで記録再生を行うフォーマットユニット、６は光ピックアップ４を光ディスク１のラジアル方向に移動させるトラバース７を制御するトラバース制御回路、９はホストコンピュータの指令によりドライブの上記構成要素を統合的に制御するシステムコントローラ、１０は光ピックアップ４の情報層に対する位置を記憶するメモリである。同図に示した各構成の動作について、図２を参照して説明する。
【００１５】
光ディスク１がドライブに装着されると、先ず当該ディスクが記録可能な情報層を備えているかを、光ピックアップ４、光ピックアップ制御回路６、フォーマットユニット５を介してシステムコントローラ９が判断する。装着された光ディスク１に記録型の情報層を備えている場合には、システムコントローラ９から記録学習指令が出され、記録学習ジョブをドライブが開始する。
【００１６】
ジョブが開始されると、光ディスク１に対する記録学習を行う記録再生長及び記録再生開始アドレスがホストコンピュータからシステムコントローラ９に指令が出され、記録学習を始める記録再生長及び記録再生開始アドレスを決定する（ステップ２０１）。次に、ステップ２０２で光ピックアップ４が位置する情報層における現在アドレスを把握しているか否かを判断する。光ディスク１をドライブに装着した直後は、光ピックアップが位置する情報層のアドレスは従来技術と同様に不明であるため、前述したように、光ピックアップ制御回路６から現在アドレスを取得（ステップ３０２）し、ステップ３０３でフォーマットユニットの初期化等の記録再生の準備処理、記録再生開始アドレスと現在アドレスとの同一性を比較判断（ステップ３０４）、同一でない場合にはステップ３０４での比較により得られたアドレス差に見合ったジャンプ距離を決定（ステップ３０５）、トラックジャンプの実施（ステップ３０６）、ジャンプ後の光ピックアップ４が位置する現在アドレスの読出（ステップ３０７）を行い、ステップ３０４で同一性の判断が成されるまでステップ３０５〜３０７のループを繰り返す。こうして、光ディスク１がドライブに小着された直後の記録学習（以下、第１記録学習ループと称す）を終える。第１記録学習ループを終えた光ピックアップ４の情報層におけるアドレスは、システムコントローラ９を介してメモリ１０に格納される。本発明の情報記録再生装置では、記録学習ループの度に、当該記録学習ループを終えた光ピックアップ４が位置するアドレスを、システムコントローラを介してメモリ１０に格納するため、第ｎ記録学習ループ（但し、ｎは２以上の整数）を行う際には、第（ｎ−１）記録学習ループを終えた光ピックアップ４が位置するアドレスを記憶しているため、ステップ２０２での現在アドレスは把握していることになる。すなわち、第ｎ記録学習ループからはステップ３０２からステップ２０１へ至るルーチンを経由することを抑制でき、後述するステップ２０３からステップ２０１へ至るルーチンで記録学習を行うことができる。
【００１７】
すなわち、ステップ２０３でメモリ１０に格納している光ピックアップ４が位置する現在アドレスを読み出し、モータ制御回路３からスピンドルモータ２の回転数を取得し、取得した回転数と光ピックアップ４の現在アドレスとから、現在の線速度を算出する（ステップ２０４）。ステップ２０４で取得した現在の線速度に基づき、第ｎ記録学習ループに際して記録学習領域を光ビームの照射準備期間に経過（すなわち、第ｎ記録学習ループ処理準備待機中に経過）するアドレスを算出（ステップ２０５）し、第ｎ記録学習ループで記録学習領域を照射し始める記録再生開始アドレスと、ステップ２０３で取得したメモリ１０から読み出したアドレスとの差分から、さらにステップ２０５で取得したアドレス数を引いたアドレスだけをジャンプ距離としてステップ２０６で決定する。ステップ２０６で決定したジャンプ距離だけステップ２０７でトラックジャンプを行う。ステップ２０７でトラックジャンプを実施すると、ステップ２０８で前述のステップ３０３と同様に記録再生準備処理を実施し、ステップ２０９で光ピックアップ４が位置する情報層におけるアドレスを読み出し、メモリ１０に格納し、前述と同様にステップ２１０で第ｎ記録学習ループに適用する光ビームを記録学習領域に照射し、ステップ２１１で記録学習が完了いていないと判断するとステップ２０１に帰還し、ステップ２０２では現在アドレスは既知であるためステップ２０３からステップ２１１のループを実行し、ステップ２１１で完了と判断すると記録学習ジョブを終了する。本実施形態の記録学習を行えば、従来の記録学習に要していた時間を４分の３から３分の２程度に短縮することができ、記録学習過程で短縮された時間だけドライブ立ち上げ速度を向上することができる。
【産業上の利用可能性】
【００１８】
本発明は、高密度の情報媒体を対象とした情報記録再生装置ほどその効果は大きく、さらに通称スーパーマルチドライブ等と称される複数種類の記録型情報媒体それぞれに対応する波長を備える情報記録再生装置に好適である。
【図面の簡単な説明】
【００１９】
【図１】本発明の一実施形態における情報記録再生装置の要部構成図
【図２】同実施形態における処理の流れを示す流れ図
【図３】従来の処理の流れを示す流れ図
【符号の説明】
【００２０】
１  光ディスク
２  スピンドルモータ
３  モータ制御回路
４  光ピックアップ
５  フォーマットユニット
６  ピックアップ制御回路
７  トラバース
８  トラバース制御回路
９  システムコントローラ
１０  メモリ
【図１】
2007102839.tif 000003
【図２】
2007102839.tif 000004
【図３】
2007102839.tif 000005